(57)【要約】【課題】テーブルタップなどで使用されるスイッチにおいて、使用者がＯＮ／ＯＦＦの識別を容易に行うことができるとともに、無駄な電力を消費しないようにする。【解決手段】スイッチＶａは、支持部材１１１ａ，１１２に、ビス１３１，１３２によって、操作部材４２ａのブラケット４３１ａ，４３２が揺動自在に支持されるシーソースイッチである。操作部材４２ａ内には、ＯＮ／ＯＦＦの識別部材Ｍａとして円弧板４６が設けられ、それには剛性の駆動部材４８が固着され、その先端にギア４９が固着される。ギア４９は、ビス１３３によって支持部材１１１ａに枢支される一方、ブラケット４３１ａの先端にはギア４９に噛合う円弧状のラックギア４３８が形成される。したがって、シーソーが揺動すると、操作部材４２ａの上面側から見える円弧板４６の色パターンが切換わり、内部照明を設けてＯＮ／ＯＦＦを表示する場合のような無駄な電力消費が無くなる。【選択図】図１０
2014053096.tif 000002
【特許請求の範囲】
【請求項１】
通電のＯＮ／ＯＦＦを切換えることができるスイッチにおいて、
前記通電をＯＮ／ＯＦＦするスイッチ本体と、
前記スイッチ本体に近接して設けられ、前記スイッチ本体のＯＮ／ＯＦＦ動作に連動して、機械的に、使用者による視認の態様が切換わる識別部材とを含むことを特徴とするスイッチ。
【請求項２】
前記識別部材は、前記スイッチ本体の側方に設けられ、前記スイッチ本体のＯＮ／ＯＦＦ動作に連動して、文字と色との少なくとも一方が切換わる揺動部材であることを特徴とする請求項１記載のスイッチ。
【請求項３】
前記スイッチ本体は、そのＯＮ／ＯＦＦ動作に連動して変位するレバーを有し、
前記揺動部材は、前記スイッチ本体と一体の筐体に収納され、
前記レバーは、前記筐体の表面と略平行に揺動し、
前記揺動部材は、前記レバーに係合する係合部と、前記係合部に固着され、前記筐体の表面と平行に摺動可能であり、前記視認の態様が異なるパターンを有する摺動板とを備えて構成され、
前記筐体に形成された開口から前記摺動板の何れのパターンが露出するかによって、使用者にＯＮ／ＯＦＦの識別を行わせることを特徴とする請求項２記載のスイッチ。
【請求項４】
前記開口および揺動部材は、前記スイッチ本体と、それに対応するプラグソケットとの間に設けられることを特徴とする請求項３記載のスイッチ。
【請求項５】
前記摺動板は、前記スイッチ本体のＯＮを表す濃色の領域と、ＯＦＦを表す淡色の領域とを有し、前記淡色の領域は蛍光材料を含むことを特徴とする請求項３または４記載のスイッチ。
【請求項６】
前記識別部材は、前記スイッチ本体において前記使用者に操作され、透明な部材から成る操作部材の内部に設けられ、該スイッチ本体のＯＮ／ＯＦＦ動作に連動して、文字と色との少なくとも一方を切換えて前記操作部材の外部から視認可能にすることを特徴とする請求項１記載のスイッチ。
【請求項７】
前記スイッチ本体は、シーソースイッチから成ることを特徴とする請求項６記載のスイッチ。
【請求項８】
前記操作部材は、使用者に操作される面が凹面の円弧状に湾曲しているとともに、両凹、平凹、凸凹の何れかの拡大レンズとしての機能を有していることを特徴とする請求項７記載のスイッチ。
【請求項９】
前記識別部材は、
前記透明な部材から成る操作部材の内部空間において、前記シーソーの長手方向の両端側に設けられ、外周面に滑り止めのローレットが形成された一対のドラムと、
前記一対のドラムに巻き掛けられ、裏面に前記ローレットに噛み合うラックが形成され、表面に前記視認の態様が異なるパターンを有するベルトと、
前記一対のドラムの少なくとも一方に関連して設けられるギアと、
前記スイッチ本体を収納する筐体側に設けられ、前記ギアに噛み合うラックとを含むことを特徴とする請求項７または８記載のスイッチ。
【請求項１０】
前記識別部材は、
前記操作部材の内部空間において、前記シーソーの長手方向の両端側に設けられる一対のドラムと、
前記一対のドラムに巻き掛けられ、表面に前記視認の態様が異なるパターンを有し、一部にフックが形成されるベルトと、
前記フックに一端が揺動自在に係合され、他端は前記シーソースイッチから離反する方向に延びる軸線上の固定位置に揺動自在に係合され、伸長方向に弾発性を有する弾性部材とを備え、
前記操作部材は、該操作部材から離反する方向に延びて、そのＯＮ／ＯＦＦ動作に連動して、前記弾性部材を揺動させるレバーを有することを特徴とする請求項７または８記載のスイッチ。
【請求項１１】
前記識別部材は、
前記操作部材の内部空間において、前記シーソーの長手方向に延び、表面に前記視認の態様が異なるパターンを有する帯状の円弧板と、
一端が前記円弧板の裏面における周方向の中心部に連結されて該円弧の半径方向内方側に延びて形成され、他端が固定位置に固定される板ばね部材とを備え、
前記操作部材は、該操作部材から離反する方向に延びて、そのＯＮ／ＯＦＦ動作に連動して、前記板ばね部材を湾曲させるレバーを有することを特徴とする請求項７または８記載のスイッチ。
【請求項１２】
前記識別部材は、
前記操作部材の内部空間において、前記シーソーの長手方向に延び、表面に前記視認の態様が異なるパターンを有する帯状の円弧板と、
剛性の部材から成り、一端が前記円弧板の裏面における周方向の中心部に連結されて該円弧の半径方向内方側に延びて形成される駆動部材と、
前記駆動部材の他端に固着されて回転中心が基台に枢支されるギアとを備え、
前記操作部材は、該操作部材から離反する方向に延びて形成され、その遊端部に、前記ギアに噛合う円弧状のラックギアが形成されることで、そのＯＮ／ＯＦＦ動作に連動して、前記駆動部材を揺動させるレバーを有することを特徴とする請求項７または８記載のスイッチ。
【請求項１３】
前記操作部材は、前記内部空間としてチューブ状の移動空間を有するとともに、前記移動空間の両端にはシーソーの下方側に開放した収納空間を有し、
前記識別部材は、
前記両端の収納空間からそれぞれ移動空間側に充填され、該移動空間内で界面を接し、前記視認の態様が相互に異なる２つの袋体と、
前記両端の収納空間の下方部にそれぞれ臨む固定位置に設けられ、シーソーの揺動で降下した側の収納空間に嵌り込み、前記袋体を押出す押出し部材とを備え、
前記押出し部材で押出された方の袋体が前記移動空間内に膨出することで、前記ＯＮ／ＯＦＦ動作に連動して、前記視認の態様が異なるパターンを実現することを特徴とする請求項７または８記載のスイッチ。
【請求項１４】
前記識別部材は、
前記操作部材の内部空間において、前記シーソーの長手方向が伸縮方向となるように、かつその長手方向に互いに連結され、前記視認の態様が相互に異なる２つのベローズと、
前記２つのベローズの連結部に一端が固着され、他端はシーソースイッチから離反する方向に延びる駆動部材とを備え、
前記スイッチ本体は、前記シーソースイッチの揺動中心を通り、前記シーソースイッチから離反する方向に延びて、そのＯＮ／ＯＦＦ動作に連動して、前記駆動部材を前記シーソーの長手方向に変位させるレバーを有することを特徴とする請求項７または８記載のスイッチ。
【請求項１５】
前記操作部材は、前記シーソースイッチの中央部付近が透明な部材から成り、残余の部分は遮光性の材料から成ることを特徴とする請求項１０〜１４のいずれか１項に記載のスイッチ。
【請求項１６】
前記請求項１〜１５のいずれか１項に記載のスイッチを備えることを特徴とする配線器具。
【請求項１７】
前記請求項１〜１５のいずれか１項に記載のスイッチを備えることを特徴とする壁面スイッチ。
【発明の詳細な説明】
【技術分野】
【０００１】
本発明は、テーブルタップなどとして実現される配線器具や、壁面スイッチなどに搭載されるスイッチならびにそれを用いる前記配線器具および壁面スイッチに関する。
【背景技術】
【０００２】
近年の省エネ意識の高まりで、こまめにスイッチを切れるように、また複数の負荷を纏めて制御したり、電源側で制御したりできるように、テーブルタップは、従来の単なる延長ケーブル付き蛸足配線器具から進化し、該テーブルタップには、負荷毎或いは複数の負荷を一括して制御できるように、スイッチを搭載することが流行になっている。
【０００３】
前記スイッチは、主にシーソースイッチである。ところが、シーソースイッチは、どちらに倒れているとＯＮか、直感的に分からないという問題がある。そのため、特許文献１では、図１６で示すように、シーソースイッチ１０１のＯＮとなる側の表面に、ぽっち１０２を設けている。しかしながら、この従来技術では、成型による肉厚の違いだけで使用者に識別させるので、手探りでは識別できるが、視認では識別され難いという問題がある。
【０００４】
一方、意匠にも配慮して、前記スイッチを押し釦式とした従来技術が、特許文献２に示されている。その従来技術によれば、円形の押し釦スイッチが、押し込まれている（凹んでいる）とＯＮ、復帰している（周囲と面一）とＯＦＦであって、使用者が識別できるようになっている。しかしながら、この従来技術でも、手探りでは識別できるが、正面から見たら、ＯＮかＯＦＦか分からないという問題がある。
【０００５】
その点、スイッチ内に内部照明を備え、ＯＮ時に点灯させるようにした構成では、ＯＮかＯＦＦか、極めて容易に識別することができる。
【先行技術文献】
【特許文献】
【０００６】
【特許文献１】特開２００９−３０２０５９号公報
【特許文献２】特開２０１０−２７２３７１号公報
【発明の概要】
【発明が解決しようとする課題】
【０００７】
しかしながら、前記内部照明は、負荷と並列に接続されるランプによって構成されるので、前記省エネ（電力消費の削減）のためにスイッチを設けているのに、その操作性を向上するための構成で、逆に余分な電力消費を招くと言う大きな矛盾を生じているのが実状である。
【０００８】
一方、前記テーブルタップ以外で、内部照明付きのスイッチは、洗面やトイレ等で使用される壁面スイッチなどとして用いられている。この内部照明付きの壁面スイッチは、夜間など、全く周辺の照明の無い状態（真っ暗）では、視認性が高く、便利である。しかしながら、内部照明が点灯していると電力を消費することに変わりは無く、また日中など、周辺が明るくても、すなわち周辺光を反射することで使用者に識別させることができる状態でも、内部照明が点灯する。そしてこの壁面スイッチで注目すべきは、使用者を案内するため、スイッチがＯＦＦしている時に点灯することである。したがって、昼夜を問わず、スイッチがＯＦＦしている、すなわちトイレが使用されていない大部分の時間に点灯している。
【０００９】
本発明の目的は、使用者がＯＮ／ＯＦＦの識別を容易に行うことができるとともに、無駄な電力を消費しないスイッチならびにそれを用いる配線器具および壁面スイッチを提供することである。
【課題を解決するための手段】
【００１０】
本発明のスイッチは、通電のＯＮ／ＯＦＦを切換えることができるスイッチにおいて、前記通電をＯＮ／ＯＦＦするスイッチ本体と、前記スイッチ本体に近接して設けられ、前記スイッチ本体のＯＮ／ＯＦＦ動作に連動して、機械的に、使用者による視認の態様が切換わる識別部材とを含むことを特徴とする。
【００１１】
上記の構成によれば、通電のＯＮ／ＯＦＦを切換えることができるスイッチにおいて、前記通電をＯＮ／ＯＦＦするスイッチ本体に近接して、使用者にＯＮかＯＦＦかを識別させる識別部材を設ける。そして、その識別部材は、前記スイッチ本体のＯＮ／ＯＦＦ動作に連動して、機械的に視認の態様が切換わるようになっている。
【００１２】
したがって、使用者がＯＮ／ＯＦＦの識別を容易に行うことができるとともに、その識別のために無駄な電力を消費しないようにすることができる。
【００１３】
また、本発明のスイッチでは、前記識別部材は、前記スイッチ本体の側方に設けられ、前記スイッチ本体のＯＮ／ＯＦＦ動作に連動して、文字と色との少なくとも一方が切換わる揺動部材であることを特徴とする。
【００１４】
上記の構成によれば、前記スイッチ本体に設けられたレバーなどで揺動部材を揺動させることで、使用者にＯＮ／ＯＦＦの識別を容易に行わせることができる。
【００１５】
さらにまた、本発明のスイッチでは、前記スイッチ本体は、そのＯＮ／ＯＦＦ動作に連動して変位するレバーを有し、前記揺動部材は、前記スイッチ本体と一体の筐体に収納され、前記レバーは、前記筐体の表面と略平行に揺動し、前記揺動部材は、前記レバーに係合する係合部と、前記係合部に固着され、前記筐体の表面と平行に摺動可能であり、前記視認の態様が異なるパターンを有する摺動板とを備えて構成され、前記筐体に形成された開口から前記摺動板の何れのパターンが露出するかによって、使用者にＯＮ／ＯＦＦの識別を行わせることを特徴とする。
【００１６】
上記の構成によれば、比較的簡単な構成で、前述のように使用者にＯＮ／ＯＦＦの識別を行わせることができる。
【００１７】
また、本発明のスイッチでは、前記開口および揺動部材は、前記スイッチ本体と、それに対応するプラグソケットとの間に設けられることを特徴とする。
【００１８】
上記の構成によれば、テーブルタップなどで多数のプラグソケット（差し込み口）が並んでいても、使用者にＯＮ／ＯＦＦの識別を行わせる開口および揺動部材は、前記スイッチ本体と、それに対応するプラグソケット（差し込み口）との間に設けられるので、隣のスイッチと間違うような誤った識別が行われることを未然に防止することができる。
【００１９】
さらにまた、本発明のスイッチでは、前記摺動板は、前記スイッチ本体のＯＮを表す濃色の領域と、ＯＦＦを表す淡色の領域とを有し、前記淡色の領域は蛍光材料を含むことを特徴とする。
【００２０】
上記の構成によれば、たとえばトイレのスイッチのように、ＯＦＦ状態の長いスイッチの場合、日中など、外光の有る時に蛍光材料が光を蓄えておくことで、夜間など周囲の光が弱い場合に、電力を消費すること無しに、該スイッチの位置を使用者に認識させることができる。
【００２１】
また、本発明のスイッチでは、前記識別部材は、前記スイッチ本体において前記使用者に操作され、透明な部材から成る操作部材の内部に設けられ、該スイッチ本体のＯＮ／ＯＦＦ動作に連動して、文字と色との少なくとも一方を切換えて前記操作部材の外部から視認可能にすることを特徴とする。
【００２２】
上記の構成によれば、従来からの内部照明式のスイッチにおける内部照明に代えて識別部材を用い、機械的に使用者にＯＮ／ＯＦＦの識別を行わせることができる。
【００２３】
さらにまた、本発明のスイッチでは、前記スイッチ本体は、シーソースイッチから成ることを特徴とする。
【００２４】
上記の構成によれば、識別部材は、上述のようにシーソースイッチの操作部材の内部に埋め込まれ、シーソーの動作に連動して、機械的に使用者による視認の態様（ＯＮ／ＯＦＦ）を切換えることができる。
【００２５】
また、本発明のスイッチでは、前記操作部材は、使用者に操作される面が凹面の円弧状に湾曲しているとともに、両凹、平凹、凸凹の何れかの拡大レンズとしての機能を有していることを特徴とする。
【００２６】
上記の構成によれば、前記透明な部材から成る操作部材は、指の当たりや操作感を良くするために、使用者に操作される面が凹面の円弧状に湾曲して形成されており、それを利用して、透明な部材から成る該操作部材に、両凹、平凹、凸凹（メニスカス）の何れかの拡大レンズとしての機能を持たせる。すなわち、使用者に操作される面が凹面の円弧状に湾曲して形成されているので、内部（スイッチ本体の接点）側が、前記両凹の場合は凹面に、平凹の場合は平面に、凸凹（メニスカス）の場合は凸面に形成される。
【００２７】
したがって、シーソースイッチの動きに連動した識別部材の動き（傾き）が小さくても、拡大して、使用者が視認の態様の違い（スイッチ本体のＯＮ／ＯＦＦ）を識別することができる。
【００２８】
さらにまた、本発明のスイッチでは、前記識別部材は、前記透明な部材から成る操作部材の内部空間において、前記シーソーの長手方向の両端側に設けられ、外周面に滑り止めのローレットが形成された一対のドラムと、前記一対のドラムに巻き掛けられ、裏面に前記ローレットに噛み合うラックが形成され、表面に前記視認の態様が異なるパターンを有するベルトと、前記一対のドラムの少なくとも一方に関連して設けられるギアと、前記スイッチ本体を収納する筐体側に設けられ、前記ギアに噛み合うラックとを含むことを特徴とする。
【００２９】
上記の構成によれば、シーソースイッチの操作部材が揺動すると、筐体側のラックに噛み合っているギアが回転し、そのギアに連動して、一対のドラムの少なくとも一方が回転する。これによって、該一対のドラムに、ずれ無く噛み合っているベルトが回転し、そのベルトの表面側に形成されたパターンが変化して、シーソースイッチの切換わり（ＯＮ／ＯＦＦ）を、使用者に識別させることができる。そして、前記シーソースイッチの揺動のストローク（傾き）は小さいが、ギアに比べてドラムの径を大きくするとともに、特に前記の透明な部材から成る操作部材の拡大レンズとしての機能とを組み合わせることで、その小さなストロークでも、使用者に前記視認の態様が異なる（ＯＮ／ＯＦＦ）パターンを識別させることができる。
【００３０】
また、本発明のスイッチでは、前記操作部材は、前記識別部材は、前記操作部材の内部空間において、前記シーソーの長手方向の両端側に設けられる一対のドラムと、前記一対のドラムに巻き掛けられ、表面に前記視認の態様が異なるパターンを有し、一部にフックが形成されるベルトと、前記フックに一端が揺動自在に係合され、他端は前記シーソースイッチから離反する方向に延びる軸線上の固定位置に揺動自在に係合され、伸長方向に弾発性を有する弾性部材とを備え、前記操作部材は、該操作部材から離反する方向に延びて、そのＯＮ／ＯＦＦ動作に連動して、前記弾性部材を揺動させるレバーを有することを特徴とする。
【００３１】
上記の構成によれば、シーソースイッチ（操作部材）の状態が切換わると、そのシーソースイッチから延びるレバーが係合している弾性部材は、前記シーソースイッチから離反する方向に延びる軸線上の固定位置に揺動自在に係合される他端を中心として、最も縮小状態の中立点を超えて、反対側へ倒れ込む。これによって、前記弾性部材の一端側がフックに係合されているベルトが回転し、外部に露出するそのベルトの表面側に形成されたパターンが変化して、シーソースイッチの切換わり（ＯＮ／ＯＦＦ）を、使用者に識別させることができる。そして、前記シーソースイッチの揺動のストローク（傾き）は小さくても、弾性部材の長さや、レバーの係合点を調整することで、具体的には、弾性部材を長くし、レバーの係合点を前記弾性部材のできるだけ他端側とすることで、フック、すなわちベルトの移動量を大きくすることができる。
【００３２】
さらにまた、本発明のスイッチでは、前記識別部材は、前記操作部材の内部空間において、前記シーソーの長手方向に延び、表面に前記視認の態様が異なるパターンを有する帯状の円弧板と、一端が前記円弧板の裏面における周方向の中心部に連結されて該円弧の半径方向内方側に延びて形成され、他端が固定位置に固定される板ばね部材とを備え、前記操作部材は、該操作部材から離反する方向に延びて、そのＯＮ／ＯＦＦ動作に連動して、前記板ばね部材を湾曲させるレバーを有することを特徴とする。
【００３３】
上記の構成によれば、シーソースイッチの操作部材の状態が切換わると、そのシーソースイッチから延びるレバーが係合している板ばね部材は、前記シーソースイッチから離反する方向に延びて固定位置に固定される他端を中心として、反対側へ屈曲する。これによって、前記板ばね部材の一端側が連結されている円弧板が、略周方向に回転し、外部に露出する円弧板の表面側に形成されたパターンが変化して、シーソースイッチの切換わり（ＯＮ／ＯＦＦ）を、使用者に識別させることができる。
【００３４】
したがって、極めて簡単な構成で、使用者に前記視認の態様が異なる（ＯＮ／ＯＦＦ）パターンを識別させることができる。また、前記板ばね部材の変形だけで円弧板のパターンを切換えるので、信頼性が高く、特に低温の環境でも、安定した動作を実現できるとともに、部品の劣化も抑えることができる。
【００３５】
また、本発明のスイッチでは、前記識別部材は、前記操作部材の内部空間において、前記シーソーの長手方向に延び、表面に前記視認の態様が異なるパターンを有する帯状の円弧板と、剛性の部材から成り、一端が前記円弧板の裏面における周方向の中心部に連結されて該円弧の半径方向内方側に延びて形成される駆動部材と、前記駆動部材の他端に固着されて回転中心が基台に枢支されるギアとを備え、前記操作部材は、該操作部材から離反する方向に延びて形成され、その遊端部に、前記ギアに噛合う円弧状のラックギアが形成されることで、そのＯＮ／ＯＦＦ動作に連動して、前記駆動部材を揺動させるレバーを有することを特徴とする。
【００３６】
上記の構成によれば、シーソースイッチの操作部材の状態が切換わると、そのシーソースイッチから延びるレバーのラックギアが係合しているギアは、基台の枢支位置で回転する。これによって、前記ギアが他端に固着されている駆動部材が揺動し、その駆動部材の一端側に連結されている円弧板が、前記ギアを回転中心として、該円弧板の略周方向に回転し、外部に露出する該円弧板の表面側に形成されたパターンが変化して、シーソースイッチの切換わり（ＯＮ／ＯＦＦ）を、使用者に識別させることができる。
【００３７】
したがって、極めて簡単な構成で、使用者に前記視認の態様が異なる（ＯＮ／ＯＦＦ）パターンを識別させることができる。また、前記ラックギアとギアとだけで円弧板のパターンを切換えるので、信頼性が高く、特に低温の環境でも、安定した動作を実現できるとともに、部品の劣化も抑えることができる。
【００３８】
さらにまた、本発明のスイッチでは、前記操作部材は、前記内部空間としてチューブ状の移動空間を有するとともに、前記移動空間の両端にはシーソーの下方側に開放した収納空間を有し、前記識別部材は、前記両端の収納空間からそれぞれ移動空間側に充填され、該移動空間内で界面を接し、前記視認の態様が相互に異なる２つの袋体と、前記両端の収納空間の下方部にそれぞれ臨む固定位置に設けられ、シーソーの揺動で降下した側の収納空間に嵌り込み、前記袋体を押出す押出し部材とを備え、前記押出し部材で押出された方の袋体が前記移動空間内に膨出することで、前記ＯＮ／ＯＦＦ動作に連動して、前記視認の態様が異なるパターンを実現することを特徴とする。
【００３９】
上記の構成によれば、シーソースイッチの操作部材の状態が切換わると、該操作部材の下方側で固定位置に設けられている２つの押出し部材の一方が、該操作部材側に入り込む。前記操作部材には、前記押出し部材が入り込む２つの収納空間と、それらを連通するチューブ状の移動空間とが、前記内部空間として形成されている。そして、前記２つの収納空間から移動空間へは、２つの袋体がそれぞれ充填されており、この２つの袋体は、前記移動空間内で界面を接するとともに、前記視認の態様が相互に異なるように形成されている。
【００４０】
前記視認の態様が相互に異なるとは、具体的には、同じ材質の袋体内に、相互に色の異なる流体が充填されたり、或いは相互に色の異なる袋体内に、同じ流体が充填されるなど、任意である。前記押出し部材で押出された方の袋体が、前記チューブ状の移動空間の中央部分を専有する。こうして、使用者に前記視認の態様の違い（ＯＮ／ＯＦＦ）を識別させることができる。
【００４１】
また、本発明のスイッチでは、前記識別部材は、前記操作部材の内部空間において、前記シーソーの長手方向が伸縮方向となるように、かつその長手方向に互いに連結され、前記視認の態様が相互に異なる２つのベローズと、前記２つのベローズの連結部に一端が固着され、他端はシーソースイッチから離反する方向に延びる駆動部材とを備え、前記スイッチ本体は、前記シーソースイッチの揺動中心を通り、前記シーソースイッチから離反する方向に延びて、そのＯＮ／ＯＦＦ動作に連動して、前記駆動部材を前記シーソーの長手方向に変位させるレバーを有することを特徴とする。
【００４２】
上記の構成によれば、シーソースイッチの操作部材の状態が切換わると、そのシーソースイッチから延びるレバーは、前記シーソーの長手方向と略平行に揺動し、そのレバーが係合している駆動部材は、前記筐体の表面と平行に移動する。これによって、駆動部材が接続されている２つのベローズの接続点も前記シーソーの長手方向に移動し、伸長していた側のべローズが縮小し、縮小していた側のべローズが伸長する。伸長した側のべローズが、前記シーソースイッチの中央部分の内部空間を専有する。こうして、使用者に前記視認の態様の違い（ＯＮ／ＯＦＦ）を識別させることができる。
【００４３】
さらにまた、本発明のスイッチでは、前記操作部材は、前記シーソースイッチの中央部付近が透明な部材から成り、残余の部分は遮光性の材料から成ることを特徴とする。
【００４４】
上記の各構成によれば、スイッチのＯＮ／ＯＦＦに対応して前記シーソースイッチの中央部分の内部空間を専有するパターンが変化することで、使用者は前記ＯＮ／ＯＦＦを識別することが可能であるが、操作部材全体が透明であると、周辺部分で、現在のスイッチの状態とは異なる側のパターンが見えたり、駆動機構が見えたりする可能性がある。そこで前記シーソースイッチの中央部付近だけを透明な部材で形成し、残余の部分は遮光性の材料で形成しておくことで、スイッチの状態に対応したパターンのみを外部から視認できるようにすることができる。
【００４５】
また、本発明の配線器具は、前記のスイッチを備えることを特徴とする。
【００４６】
上記の構成によれば、使用者がＯＮ／ＯＦＦの識別を容易に行うことができるとともに、その識別のために無駄な電力を消費しないようにすることができるテーブルタップなどの配線器具を実現することができる。
【００４７】
さらにまた、本発明の壁面スイッチは、前記のスイッチを備えることを特徴とする。
【００４８】
上記の構成によれば、使用者がＯＮ／ＯＦＦの識別を容易に行うことができるとともに、その識別のために無駄な電力を消費しないようにすることができる壁面スイッチを実現することができる。
【発明の効果】
【００４９】
本発明のスイッチならびにそれを用いる配線器具および壁面スイッチは、以上のように、通電をＯＮ／ＯＦＦするスイッチ本体に近接して、機械的に視認の態様が切換わることで、使用者にＯＮかＯＦＦかを識別させる識別部材を設けるので、使用者がＯＮ／ＯＦＦの識別を容易に行うことができるとともに、その識別のために無駄な電力を消費しないようにすることができる。
【図面の簡単な説明】
【００５０】
【図１】本発明の実施の第１の形態に係る配線器具であるテーブルタップの斜視図である。
【図２】図１で示すテーブルタップにおける１つのスイッチの内部構成を示す分解斜視図である。
【図３】本発明の実施の第２の形態に係る配線器具であるテーブルタップの斜視図である。
【図４】図３で示すテーブルタップにおける１つのスイッチの内部構成を示す分解斜視図である。
【図５】図４で示すスイッチにおける操作部材の断面図である。
【図６】本発明の実施の第３の形態に係る配線器具であるテーブルタップにおける１つのスイッチの内部構成を示す分解斜視図である。
【図７】図６で示すスイッチにおける操作部材の揺動動作を説明するための断面図である。
【図８】本発明の実施の第４の形態に係る配線器具であるテーブルタップにおける１つのスイッチの内部構成を示す分解斜視図である。
【図９】図８で示すスイッチにおける操作部材の揺動動作を説明するための断面図である。
【図１０】本発明の実施の第５の形態に係る配線器具であるテーブルタップにおける１つのスイッチの内部構成を示す分解斜視図である。
【図１１】本発明の実施の第６の形態に係る配線器具であるテーブルタップにおける１つのスイッチの内部構成を示す分解斜視図である。
【図１２】図１１で示すスイッチにおける操作部材の揺動による色の切換え動作を説明するための断面図である。
【図１３】本発明の実施の第６の形態における他の態様のスイッチの断面図である。
【図１４】本発明の実施の第７の形態に係る配線器具であるテーブルタップにおける１つのスイッチの内部構成を示す分解斜視図である。
【図１５】図１４で示すスイッチにおける操作部材の厚み方向断面図である。
【図１６】従来技術のテーブルタップの斜視図である。
【発明を実施するための形態】
【００５１】
（実施の形態１）
図１は、本発明の実施の第１の形態に係る配線器具であるテーブルタップ１の斜視図である。このテーブルタップ１は、ケーブル２を介して、図示しないコンセントプラグから給電された電力を、筐体３上に配列された複数（図１の例では３）口のプラグソケット（以下、差し込み口と言う）Ｐ１〜Ｐ３（総称するときは、以下参照符号Ｐで示す）から分配して給電可能とするものである。各差し込み口Ｐ１〜Ｐ３には、近接して、個別に対応するスイッチＳ１〜Ｓ３（総称するときは、以下参照符号Ｓで示す）が設けられており、このスイッチＳ１〜Ｓ３によって、対応する差し込み口Ｐ１〜Ｐ３からの通電のＯＮ／ＯＦＦを切換えることができるようになっている。図１の例では、スイッチＳ２だけがＯＮとなっており、残余のスイッチＳ１，Ｓ３はＯＦＦとなっている。
【００５２】
なお、各スイッチＳ１〜Ｓ３の上流側に、さらに一括してＯＮ／ＯＦＦを切換えることができるスイッチが設けられてもよく、また本発明では、差し込み口ＰおよびスイッチＳは、少なくとも１つあればよく、１または複数の差し込み口Ｐに対して、スイッチＳが設けられていればよい。ここで、本願発明の願書に便宜的に記載した国際特許分類によれば、差し込み口Ｐが複数となっているが、本願発明は、１つの差し込み口Ｐに、１つのスイッチＳを備える、単なるスイッチ付きの延長ケーブルとして実現されてもよい。さらにまた、図１の例では、スイッチＳ１〜Ｓ３と対応する差し込み口Ｐ１〜Ｐ３とが、筐体３上に一直線上に配列されているが、特許文献２のように、スイッチＳ１〜Ｓ３と差し込み口Ｐ１〜Ｐ３とが、２列に分かれて設けられていてもよく、また少なくとも一方が筐体の側面に配列されていてもよい。
【００５３】
注目すべきは、このテーブルタップ１では、前記通電をＯＮ／ＯＦＦするスイッチ本体ＳＷ１〜ＳＷ１（総称するときは、以下参照符号ＳＷで示す）に近接して、前記スイッチ本体ＳＷ１〜ＳＷ３のＯＮ／ＯＦＦ動作に連動して、機械的に、使用者による視認の態様が切換わる（使用者にＯＮかＯＦＦかを識別させる）識別部材Ｈ１〜Ｈ３（総称するときは、以下参照符号Ｈで示す）を備えていることである。したがって、使用者が、スイッチＳ１〜Ｓ３がＯＮとなっているのか、ＯＦＦとなっているのかの識別を容易に行うことができるとともに、その識別のために無駄な電力を消費しないようにすることができる。
【００５４】
図２は、１つのスイッチＳの内部構成を示す分解斜視図である。差し込み口Ｐや、前記ケーブル２に接続され、前記各差し込み口Ｐに給電するための内部導体等に関する構成は、図面の簡略化のために省略している。図２において、大略的に、左側が識別部材Ｈに関する構成であり、右側がスイッチ本体ＳＷに関する構成である。このスイッチＳでは、前記識別部材Ｈは、前記スイッチ本体ＳＷの側方に設けられ、前記スイッチ本体ＳＷのＯＮ／ＯＦＦ動作に連動して、色が変わるようになっている。
【００５５】
スイッチ本体ＳＷは、所謂シーソースイッチである。そのため、基台１１の上面１１０の両側部から延設された一対の支持部材１１１，１１２に、操作部材１２の底面１２０の両側部から延設された一対のブラケット１２１，１２２が、揺動自在に支持される。この図２の例では、支持部材１１１，１１２の外側からブラケット１２１，１２２が覆い、ビス１３１，１３２は、ブラケット１２１，１２２の挿通孔１２１１，１２２１を挿通し、支持部材１１１，１１２のねじ孔１１１１，１１２１にねじ止めされる。
【００５６】
前記基台１１および操作部材１２において、幅方向の略半分が接点領域Ｗ１となり、残りの略半分がバイアス領域Ｗ２となる。接点領域Ｗ１は、外部に延設される端子１４１，１４２と、それらの間を電気的に導通／遮断する接点１４３とを備えて構成される。端子１４１，１４２は、側面視でＬ字状に形成されており、長辺側が外部へ突出し、短辺側が基台１１上に延設される。一方の端子１４１の短辺には、接点１４３の一端が溶接などで接合される。接点１４３は、大略的に「く」の字状に形成され、その他端には接点部材１４４が設けられている。これに対応して、他方の端子１４２の短辺には、接点部材１４５が設けられている。後述する操作部材１２の揺動によってその駆動片１２３が、前記接点部材１４４の側に位置しているときは接点部材１４４，１４５間が導通し、離反側に位置しているときは接点部材１４４，１４５間が遮断する。
【００５７】
端子１４１，１４２の基台１１への取付けには、基台１１に一体成型、ビスなどで螺着、樹脂製の基台１１に溶着などの任意の手法が用いられればよい。この図２の例のスイッチ本体ＳＷは、接点１４３が１つだけで、単相２線の給電経路のうちの片方だけを導通／遮断しているが、バイアス領域Ｗ２の両側に接点領域Ｗ１を設け、両方の給電経路を導通／遮断するようにしてもよい。この図２の例のスイッチ本体ＳＷは、後述する識別部材Ｈとの連動のために、最も簡単な構造例を示しているが、種々の部品の配置や組立てが可能な場合は、他の複雑な構造が採用されてもよい。
【００５８】
前記バイアス領域Ｗ２には、引張りばね１５および圧縮ばね１６が設けられており、これらに対応して、操作部材１２の底面１２０にはフック１２４およびボス１２５が設けられており、基台１１の上面１１０にはフック１１４およびボス１１５が設けられている。
【００５９】
前記圧縮ばね１６は、伸長方向に弾発力を発揮しており、その両端がボス１２５，１１５に嵌り込む。一方、操作部材１２は、前記シーソースイッチを実現するもので、使用者の操作によって揺動し、使用者が操作を行っていない状態では、一方側か他方側に倒れている。前記圧縮ばね１６は、その操作が行われていない状態で、倒れている状態を保持、すなわち前記接点１４３が勝手に切換わらないようにするためのもので、シーソーが一方に倒れている状態では「く」の字に屈曲して伸長して安定しており、操作部材１２が操作されて水平状態となると圧縮されて直線状となり、反対に倒れると反対の「く」の字となって伸長して安定する。
【００６０】
前記引張りばね１５は、前記「く」の字に屈曲した接点１４３を、前記操作部材１２の駆動片１２３が押圧する際に受ける反力を相殺するために設けられているものであり、操作部材１２を、接点１４３が導通する方向にバイアスする。これによって、前記圧縮ばね１６による状態保持も可能になる。このようなバイアスおよび状態保持の構成にも、他の複雑な構造が採用されてもよい。
【００６１】
前記操作部材１２は、大略的に、角部が面取りされた四角錐台状に形成され、使用者に操作される上面１２６が凹面の円弧状に湾曲している。この操作部材１２の上部が、前記筐体３の上板３０に形成された開口３１から突出することで、前記スイッチ本体ＳＷに、シーソー式の揺動が可能となっている。そして、このスイッチ本体ＳＷの側方に、前記識別部材Ｈが設けられる。
【００６２】
前記識別部材Ｈは、スイッチ本体ＳＷと同じ筐体３内に収納され、揺動部材１７と、案内部材１８とを備えて構成される。一方、前記筐体３の上板３０上で、差し込み口Ｐと対応するスイッチＳ（前記開口３１）との間には、開口３２が形成されている。この開口３２には、防塵のため、透明板３３が嵌め込まれている。前記上板３０の裏側で、前記開口３２の両側部には、一対の前記案内部材１８が設けられている。案内部材１８は、軸直角断面がＬ字状に形成され、そのＬ字の上端が前記上板３０の裏側に固着され、Ｌ字の水平部分と前記上板３０の裏側との間で、前記揺動部材１７を摺動自在に支持する。
【００６３】
前記揺動部材１７は、前記Ｌ字状の案内部材１８間に嵌り込み、前記上板３０の裏側で、該上板３０と平行に摺動自在の摺動板１７１と、該摺動板１７１の裏面から立設される駆動部材１７２とを備えて構成される。前記摺動板１７１の上面は、スイッチ本体ＳＷが、ＯＮ状態であることを表す濃色、たとえば赤色の領域１７１１と、ＯＦＦ状態であることを表す淡色、たとえば白（無）色の領域１７１２とに色分けされており、それらの領域１７１１，１７１２は、案内部材１８の長手方向、すなわち該摺動板１７１の摺動方向に並んで形成される。前記駆動部材１７２は、係合部材となり、その下端部には、凹所１７２１が形成されており、この凹所１７２１には、前記操作部材１２の一方のブラケット１２１の下端部から外方に延設されたレバー１２７が係合する。
【００６４】
したがって、前記操作部材１２が揺動すると、レバー１２７が案内部材１８の長手方向、すなわち摺動板１７１の摺動方向に変位し、該レバー１２７に係合している駆動部材およびそれに固着されている摺動板１７１も変位する。前述のように、操作部材１２は、一方または他方の揺動位置で安定しており、スイッチ本体ＳＷの接点１４３が切換わると、前記開口３２から露出する摺動板１７１の領域１７１１，１７１２も、何れか一方のみとなる。こうして、比較的簡単な構成で、機械的に、使用者にＯＮ／ＯＦＦの識別を容易に行わせることができる。
【００６５】
さらに、前記開口３２および揺動部材１７を、差し込み口Ｐと、それに対応するスイッチ本体ＳＷとの間に設けることで、このテーブルタップ１のように多数の差し込み口Ｐが並んでいても、隣のスイッチと間違うような誤った識別が行われることを未然に防止することができる。
【００６６】
前記摺動板１７１では、濃色の領域１７１１と、淡色の領域１７１２とに色分けすることで、使用者にスイッチ本体ＳＷのＯＮ／ＯＦＦを識別させているけれども、色分けに限らず、ＯＮ／ＯＦＦなどの文字表記で識別させるようにしてもよく、或いは色分けと文字表記とを併用することで識別させるようにしてもよく、このように使用者にスイッチ本体ＳＷのＯＮ／ＯＦＦを識別させる視認の態様は、開口３２および領域１７１１，１７１２の大きさなどに合わせて、適宜検討されればよい。
【００６７】
ただ、前記摺動板１７１における淡色の領域１７１２に蛍光材料を含めておくことで、夜間など周囲の光が弱い場合に、電力を消費すること無しに、該スイッチＳの位置を使用者に認識させることができる。上述の例は、テーブルタップ１であるけれども、壁面埋め込みスイッチで、たとえばトイレや階段のスイッチの場合は、ＯＦＦ状態が長く、日中など、外光の有る時に蛍光材料が光を蓄えておくので、好適である。
【００６８】
また、摺動板１７１の移動量を制限するために、移動範囲の両端に、ストッパ（当り片）などが設けられてもよい。
【００６９】
（実施の形態２）
図３は、本発明の実施の第２の形態に係る配線器具であるテーブルタップ２１の斜視図である。このテーブルタップ２１は、上述のテーブルタップ１に類似し、対応する部分には同一の参照符号を付して示し、その説明を省略する。このテーブルタップ２１も、筐体３上に３口の差し込み口Ｐ１〜Ｐ３を備え、各差し込み口Ｐ１〜Ｐ３には、近接して、個別に対応するスイッチＱ１〜Ｑ３（総称するときは、以下参照符号Ｑで示す）が設けられている。図３の例では、スイッチＱ２だけがＯＮとなっており、残余のスイッチＱ１，Ｑ３はＯＦＦとなっている。
【００７０】
注目すべきは、このテーブルタップ２１では、前記通電をＯＮ／ＯＦＦするスイッチ本体ＱＷ１〜ＱＷ３（総称するときは、以下参照符号ＱＷで示す）は、シーソースイッチから成り、使用者に操作され、透明な部材から成る操作部材２２の内部に、前記スイッチ本体ＱＷ１〜ＱＷ３のＯＮ／ＯＦＦ動作（シーソーの動作）に連動して、機械的に、使用者による視認の態様が切換わる（使用者にＯＮかＯＦＦかを識別させる）識別部材Ｋ１〜Ｋ３（総称するときは、以下参照符号Ｋで示す）を備えていることである。
【００７１】
すなわち、このスイッチＱは、従来からの内部照明式のシーソースイッチにおける内部照明に代えて、識別部材Ｋを用い、機械的に使用者にＯＮ／ＯＦＦの識別を行わせるものである。図３の例では、前記識別部材Ｋは、前記スイッチ本体ＳＷのＯＮ／ＯＦＦ動作に連動して、色が変わるようになっているが、前述の通り、文字が変わるようになっていてもよい。したがって、使用者が、スイッチＱ１〜Ｑ３がＯＮとなっているのか、ＯＦＦとなっているのかの識別を容易に行うことができるとともに、その識別のために無駄な電力を消費しないようにすることができる。
【００７２】
図４は、１つのスイッチＱの内部構成を示す分解斜視図である。前述のスイッチＳは、スイッチ本体ＳＷの側部（差し込み口Ｐとの間）に、識別部材Ｈが設けられているのに対して、このスイッチＱは、上述のように、スイッチ本体ＱＷの操作部材２２の内部に、識別部材Ｋが設けられている点で相違する。したがって、筐体３には開口３２が設けられていない。しかしながら、スイッチ本体ＱＷにおいて、接点１４３や、バイアスの引張りばね１５および状態保持の圧縮ばね１６などの構成は同一であり、同一の参照符号を付して、その説明を省略する。
【００７３】
図５は、操作部材２２の断面図である。この操作部材２２は、使用者に操作され、透明な部材から成る上部側の操作部２３と、前記操作部２３の内部に空間２４を形成し、底部を閉塞する底板２５とを備えて構成される。前記底板２５は、透明でも遮光性でも、いずれであってもよい。前記底板２５には、前記駆動片１２３およびボス１２５が立設されるとともに、前記フック１２４が設けられている。前記基台１１から延びる支持部材１１１，１１２には、操作部２３の両側部から延設された一対のブラケット２３１，２３２が、前記ビス１３１，１３２によって揺動自在に支持される。
【００７４】
また、注目すべきは、スイッチＱでは、前記操作部２３は、指の当たりや操作感を良くするために、使用者に操作される面２３６が凹面の円弧状に湾曲して形成されており、それを利用して、透明な部材から成る該操作部２３に、両凹、平凹、凸凹（メニスカス）の何れかの拡大レンズとしての機能を持たせていることである。すなわち、使用者に操作される面２３６が凹面の円弧状に湾曲して形成されているので、内部（スイッチ本体ＱＷの接点１４３）側が、前記両凹の場合は凹面に、平凹の場合は平面に、凸凹（メニスカス）の場合は凸面に形成される。このように構成することで、シーソースイッチの動きに連動した識別部材Ｋの動きが小さくても、拡大して、使用者が視認の態様の違い（スイッチ本体のＯＮ／ＯＦＦ）を識別することができるようになる。
【００７５】
なお、本実施の形態では、上述のように、識別部材Ｋの色が変わることで使用者にＯＮ／ＯＦＦを識別させるので、前記使用者に操作される面２３６から、識別部材Ｋに臨む面２３７との間が、光学レンズのようなクリアなものでなくてもよく、拡大レンズとしての機能は、屈折率の違う材料の分散や、回折格子などで実現されてもよい。また、図５は、シーソースイッチの厚み方向（短手方向）の中央部における幅方向（長手方向）の断面で拡大レンズの機能を説明しているが、厚み方向（短手方向）の断面で、同様に拡大レンズとしての機能を有していてもよい。
【００７６】
そして、前記識別部材Ｋの詳細は、以下の通りである。前記操作部２３の内部空間２４において、前記シーソーの長手方向の両端側に、一対のドラム２６１，２６２が配設される。そのドラム２６１，２６２には、ベルト２６３が巻き掛けられている。前記ドラム２６１，２６２において、ベルト２６３が接触する外周面には滑り止めのローレットが形成されており、これに対応して、ベルト２６３の内周面には前記ローレットに噛み合うラック２６３１が形成されている。これによって、ドラム２６１，２６２とベルト２６３とが、ずれなく回転するようになっている。図４では、Ａ部にドラム２６１を拡大して示し、前記ローレットは参照符号２６１２で示している。
【００７７】
前記ドラム２６１，２６２の両端は、操作部２３に回転自在に枢支され、さらに少なくとも一方のドラム（図４および図５では、ドラム２６１）は、前記操作部２３の側面に形成された軸孔２３７から外部へ突出し、その突出した先端に、該ドラム２６１よりも小径のギア２６１１が形成される。一方、前記筐体３の開口３１の周縁部において、前記ギア２６１１に対応する位置には、円弧状のラック３２が形成されている。前記ラック３２の半径は、シーソースイッチの揺動中心となるビス１３１の中心から、略ギア２６１１の外周部までの距離となる。
【００７８】
図５では、操作部材２２が中立位置で、該操作部材２２の前記開口３１から突出する部分と、収納される部分との境界を、参照符号Ｌ１で示している。同様に、一方の揺動位置での境界を参照符号Ｌ２、他方の揺動位置での境界を参照符号Ｌ３で示している。前記ラック３２は、操作部材２２が２つの揺動位置間を変位しても、ギア２６１１が外れない長さで、かつ開口３１内を超えないように形成される。すなわち、そのようなラックの長さの範囲で、前記ベルト２６３のパターンが切換えられるように、ドラム２６１とギア２６１１との径が決定される。
【００７９】
前記ベルト２６３の表面側において、略半周分は前記濃色のパターンが形成され、残りの略半周分は前記淡色のパターンが形成される。したがって、シーソースイッチの操作部材２２が揺動すると、筐体３側のラック３２に噛み合っているギア２６１１が回転し、そのギア２６１１に連動して、ドラム２６１が回転する。これによって、一対のドラム２６１，２６２に、ずれ無く噛み合っているベルト２６３が回転し、そのベルトの表面側に形成されたパターンが変化して、シーソースイッチの切換わり（ＯＮ／ＯＦＦ）を、使用者に識別させることができる。
【００８０】
そして、前記シーソースイッチ（操作部材２２）の揺動のストロークは小さいが、ギア２６１１に比べてドラム２６１の径を大きくするとともに、特に前記の透明な部材から成る操作部２３の拡大レンズとしての機能とを組み合わせることで、その小さなストロークでも、使用者に前記視認の態様が異なる（ＯＮ／ＯＦＦ）パターンを識別させることができる。なお、前記ギア２６１１は、図４および図５のように、ドラム２６１に直結されていてもよいが、ギア２６１１の少ない回転（シーソースイッチの揺動のストローク）で、ベルト２６３の大きな移動量を稼ぐために、前記ギア２６１１とドラム２６１との間に、適宜他のギアが介在されていてもよい。
【００８１】
（実施の形態３）
図６は、本発明の実施の第３の形態に係る配線器具であるテーブルタップにおける１つのスイッチＲの内部構成を示す分解斜視図である。本実施の形態のテーブルタップの外観は、前述の図３で示すテーブルタップ２１と同様であり、スイッチＱに代えて、このスイッチＲが用いられる。スイッチ本体ＲＷは、シーソースイッチから成り、使用者に操作される操作部材３２の内部側に、前記スイッチ本体ＲＷのＯＮ／ＯＦＦ動作（シーソーの動作）に連動して、機械的に、使用者による視認の態様が切換わる（使用者にＯＮかＯＦＦかを識別させる）識別部材Ｊが設けられている。この図６の例でも、前述の図３の例と同様に、前記識別部材Ｊは、前記スイッチ本体ＲＷのＯＮ／ＯＦＦ動作に連動して、色が変わるようになっている。
【００８２】
スイッチ本体ＲＷにおいて、接点１４３や、バイアスの引張りばね１５および状態保持の圧縮ばね１６などの構成は同一であり、同一の参照符号を付して、その説明を省略する。ただし、このスイッチＲでは、基台１１ａから延びる支持部材１１１，１１２に対して、操作部材３２の操作部３３の両側部から延設される一対のブラケット３３１，３３２は、内側に配置される。したがって、ビス１３１，１３２は、支持部材１１１，１１２側の挿通孔１１１１ａ，１１２１ａを挿通し、ブラケット３３１，３３２側のねじ孔３３１１，３３２１にねじ止めされる。
【００８３】
図７は、操作部材３２の揺動動作を説明するための断面図である。図７は、図６の矢符Ａ１方向から見た断面図である。この操作部材３２も、使用者に操作される上部側の前記操作部３３と、前記操作部３３の内部に空間３４を形成し、底部を閉塞する底板３５とを備えて構成される。前記底板３５は、透明でも遮光性でも、いずれであってもよい。前記底板３５には、前記駆動片１２３およびボス１２５が立設されるとともに、前記フック１２４が設けられている。
【００８４】
注目すべきは、このスイッチＲでは、前記操作部３３は、前記シーソースイッチの中央部付近が透明な部材３３３から成り、残余の部分は遮光性の部材３３４から成り、前記識別部材Ｋに類似した識別部材Ｊが設けられていることである。前記透明な部材３３３は、前記の拡大レンズとしての機能を有する。前記操作部３３は、前記部材３３３，３３４が２色成型で成形されてもよく、或いは別部品を接合して構成されてもよい。
【００８５】
識別部材Ｊは、一対のドラム３６１，３６２と、ベルト３６３と、弾性部材３７とを備えて構成される。前記操作部３３の内部空間３４において、前記シーソーの長手方向の両端側に前記一対のドラム３６１，３６２が配設され、そのドラム３６１，３６２にはベルト３６３が巻き掛けられている。前記ドラム３６１，３６２の両端は、操作部３３に回転自在に枢支される。
【００８６】
一方、前記空間３４の外側には、弾性部材３７が設けられる。弾性部材３７は、相互に嵌り合う径の有底円筒状の筒状体３７１，３７２内に、伸長方向に弾発性を有するばね３７３が収納されて構成される。そして、その両端、すなわち前記筒状体３７１，３７２の底部には、フック３７１１，３７２１がそれぞれ形成されている。これに対応して、前記基台１１ａおよびベルト３６３の一端部には、フック３８１，３８２が形成されている。ベルト３６３に取付けられるフック３８２は、前記底板３５に形成されたスリット３５１を通して、弾性部材３７のフック３７２１と揺動自在に係合可能となっている。基台１１ａ側のフック３８１は、前記シーソースイッチの揺動中心（ビス１３１，１３２を結ぶ線上）を通り、前記シーソースイッチから離反する方向に延びる軸線上に設けられ、弾性部材３７のフック３７１１と揺動自在に係合可能となっている。
【００８７】
また、前記弾性部材３７に近接するブラケット３３１は、反対側のブラケット３３２よりも、操作部材３２から離反する方向に延びて形成され、その先端付近には、前記弾性部材３７の一方の筒状体（図７の例では３７１）に当接し、スイッチＲのＯＮ／ＯＦＦ動作に連動して、前記弾性部材３７を揺動させるレバー３３５，３３６が設けられている。本実施の形態では、レバー３３５，３３６は、弾性部材３７を揺動方向の両側から挟み込むように設けられているが、１本のピンでもよく、その場合、弾性部材３７側では、揺動に伴うピンの（揺動基点となるフック３８２との）距離変化を吸収するために、長孔などを設ける必要がある。
【００８８】
上述のように構成されるスイッチＲにおいて、図７は、図６の矢符Ａ１方向から見ている。したがって、図７（ａ）で示すように、操作部材３２が一方に傾倒している（図６の場合はスイッチＲがＯＦＦ）状態では、該操作部材３２は前述のように圧縮ばね１６によって、その状態が安定して保持される。このとき、弾性部材３７（ばね３７３）の弾発力によって、フック３８２は前記スリット３５１の一端部まで移動され、ベルト３６３は一方に回転され、該ベルト３６３の一部の領域に形成された淡色のパターンが、前記透明な部材３３３を通して、外部から視認可能となっている。図７では、濃淡のパターンを認識し易くするために、濃色のパターンはベルト３６３の断面を塗り潰して示している。
【００８９】
これに対して、使用者によって操作部材３２が操作されると、一対のレバー３３５，３３６の内、弾性部材３７を直立させる側のレバー（図７（ａ）から（ｂ）では３３５）が弾性部材３７を直立させ、操作部材３２および該弾性部材３７は、図７（ｂ）で示す中立位置に到達する。このとき、弾性部材３７の直立に伴い、フック３８２は前記スリット３５１の中央付近まで移動され、これによってベルト３６３は他方へ回転し、前記淡色のパターンと濃色のパターンとが、略半分ずつ、外部から視認可能となる。
【００９０】
しかしながら、この状態は、圧縮ばね１６が最も圧縮され、最も弾発力を発揮する状態であるので、安定せず、前記図７（ｃ）で示す操作部材３２が他方に傾倒している（図６の場合はスイッチＲがＯＮ）状態に切換わるか、前記図７（ａ）で示す操作部材３２が一方に傾倒している（図６の場合はスイッチＲがＯＦＦ）状態に戻る。
【００９１】
図７（ｃ）でも、操作部材３２は圧縮ばね１６によって、その状態が安定して保持される。このとき、弾性部材３７（ばね３７３）の弾発力によって、フック３８２は前記スリット３５１の他端部まで移動され、ベルト３６３は他方に回転され、該ベルト３６３の一部の領域に形成された濃色のパターンが、前記透明な部材３３３を通して、外部から視認可能となる。
【００９２】
このスイッチＲにおける識別部材Ｊは、ドラム３６１，３６２およびベルト３６３を用い、同様に前述のスイッチＱにおける識別部材Ｋは、ドラム２６１，２６２およびベルト２６３を用いている。しかしながら、識別部材Ｋでは、ギア２６１１とラック３２とによって、ベルト２６３を半周させることが可能であるが、この識別部材Ｊでは、フック３８２がスリット３５１から露出する領域でしかベルト３６３を回転させることができない。そのため、特にドラム３６１，３６２付近では、隣のパターンや、ドラム３６１，３６２などの駆動機構が操作部材３２の外部に見えてしまう可能性があり、該操作部材３２は、中央部付近を透明な部材３３３で構成し、残余の部分を遮光性の部材３３４で構成している。しかしながら、シーソースイッチの中央部分をどのパターンが主に占有しているかによって、スイッチのＯＮ／ＯＦＦは識別することができるので、意図的に、操作部材３２全体が透明で、内部が見えるスケルトン構造としてもよい。
【００９３】
一方、図７（ｂ）で示す中立位置を越えると、弾性部材３７（ばね３７３）の弾発力によって、ベルト３６３は回転可能な範囲の一杯まで回転されるので、特にドラム３６１，３６２とのスリップを考慮する必要は無い。これに対して、スイッチＱにおける識別部材Ｋでは、ギア２６１１とラック３２とによってドラム２６１がずれ無く回転されても、ドラム２６１とベルト２６３とにずれが生じると、正確なパターン表示ができなくなってしまう。そのため、前記識別部材Ｋでは、ドラム２６１，２６２の外周面にローレットが形成され、ベルト２６３の内周面にはラック２６３１が形成されている。
【００９４】
上述の例では、ベルト２６３，３６３は、無端環状であったけれども、ドラム２６１，２６２；３６１，３６２に巻き取られていてもよい。その場合、ドラム２６１，２６２の場合は、両方にギア２６１１およびラック３２を設ける必要があり、ドラム３６１，３６２の場合は、ベルト３６３が弛まないように、両方に巻き取り方向のバイアスを発生させておく必要がある。
【００９５】
このように構成することで、シーソースイッチの操作部材３２の状態が切換わると、その操作部材３２から延びるレバー３３５，３３６が係合している弾性部材３７は、前記操作部材３２の揺動中心を通り、前記操作部材３２から離反する方向に延びる軸線上の固定位置に揺動自在に係合される他端（フック３７１１）を中心として、最も縮小状態の中立点を超えて、反対側へ倒れ込む。これによって、前記弾性部材３７の一端（フック３７２１）側がフック３８２に係合されているベルト３６３が回転し、そのベルト３６３の表面側に形成されたパターンが変化して、シーソースイッチの切換わり（ＯＮ／ＯＦＦ）を、使用者に識別させることができる。そして、前記シーソースイッチの揺動のストロークは小さくても、弾性部材３７の長さや、レバー３３５，３３６の係合点を調整することで、具体的には、弾性部材３７を長くし、レバー３３５，３３６の係合点を前記弾性部材３７のできるだけ他端（フック３７１１）側とすることで、フック３８２、すなわちベルト３６３の移動量を大きくすることができる。
【００９６】
（実施の形態４）
図８は、本発明の実施の第４の形態に係る配線器具であるテーブルタップにおける１つのスイッチＶの内部構成を示す分解斜視図である。本実施の形態のテーブルタップの外観も、前述の図３で示すテーブルタップ２１と同様であり、スイッチＱに代えて、このスイッチＶが用いられる。スイッチ本体ＶＷは、シーソースイッチから成り、使用者に操作される操作部材４２の内部側に、前記スイッチ本体ＶＷのＯＮ／ＯＦＦ動作（シーソーの動作）に連動して、機械的に、使用者による視認の態様が切換わる（使用者にＯＮかＯＦＦかを識別させる）識別部材Ｍが設けられている。この図８の例でも、前述の図６の例等と同様に、前記識別部材Ｍは、前記スイッチ本体ＶＷのＯＮ／ＯＦＦ動作に連動して、色が変わるようになっている。この図８の構成において、図６の構成と同様の構成は、同一の参照符号を付して、その説明を省略する。
【００９７】
図９は、操作部材４２の揺動動作を説明するための断面図である。この操作部材４２も、使用者に操作される上部側の操作部４３と、前記操作部４３の内部に空間４４を形成し、底部を閉塞する底板４５とを備えて構成される。前記操作部４３は、前記操作部３３と同様に、前記シーソースイッチの中央部付近が透明な部材４３３から成り、残余の部分は遮光性の部材４３４から成る。本実施の形態の識別部材Ｍは、前述の識別部材Ｊに比べて、濃淡のパターンが狭く、そのため、操作部４３の透明な部材４３３の領域は、前述の操作部３３の透明な部材３３３の領域に比べて、狭くなっている。前記底板４５は、透明でも遮光性でも、いずれであってもよい。前記底板４５には、前記駆動片１２３およびボス１２５が立設されるとともに、前記フック１２４が設けられている。
【００９８】
この操作部材４２では、前記空間４４は、蒲鉾型に形成されている。したがって、この操作部材４２は、両凹の拡大レンズとなる。平凹の拡大レンズを実現するために、操作部材２２，３２のように、空間４４の天面が平面となっていてもよい。
【００９９】
注目すべきは、このスイッチＶでは、識別部材Ｍは、前記操作部材４２の内部空間４４において、前記シーソーの長手方向に延び、表面に前記視認の態様が異なるパターンを有する帯状の円弧板４６と、一端が前記円弧板４６の裏面における周方向の中心部に連結され、前記円弧板４６の半径方向内方側に延びて形成され、他端が前記基台１１ｂに固定される板ばね部材４７とを備え、前記操作部材４２は、該操作部材４２から離反する方向に延びて、そのＯＮ／ＯＦＦ動作に連動して、前記板ばね部材４７を湾曲させるレバー４３５，４３６を有することである。
【０１００】
前記円弧板４６は、前記長手方向に視認の態様が異なるパターン、具体的に図８の例では濃淡のパターンが形成され、それらの界面となる円弧の中央部から、前記板ばね部材４７が延びて形成される。板ばね部材４７は、前記接点領域Ｗ１などの関係で、前記帯状の円弧板４６より狭幅で、円弧板４６の幅方向の一方の端部側から延びて形成され、底板４５に形成されたスリット４５１から、前記操作部材４２の揺動中心（ビス１３１，１３２を結ぶ線上）を通り、その他端は、前記基台１１ｂの上面１１０に立設された一対の支持片４８に挟み込まれて固定される。
【０１０１】
本実施の形態では、前記レバー４３５，４３６は、操作部材４２の操作部４３の両側部から延設された一対のブラケット４３１，４３２の内の一方（図８，９では４３１）を延長して、その先端付近に、前記シーソーの長手方向に間隔を開けて立設される。ブラケット４３１，４３２は、前記ブラケット３３１，３３２と同様に、ビス１３１，１３２によって、基台１１ｂから延びる支持部材１１１，１１２に揺動自在に支持される。
【０１０２】
このように構成することで、図９（ａ）で示すように、操作部材４２が一方に傾倒している（図８の場合はスイッチＶがＯＦＦ）状態では、該操作部材４２は前述のように圧縮ばね１６によって、その状態が安定して保持される。このとき、板ばね部材４７はレバー４３６によって屈曲されて傾倒され、円弧板４６は若干前記シーソーの長手方向に変位されつつ、底板４５に当接するまで傾倒される。これによって、前記円弧板４６の一方の領域に形成された淡色のパターンが、前記透明な部材４３３を通して、外部から視認可能となっている。図９では、濃淡のパターンを認識し易くするために、濃色のパターンは円弧板４６の断面を塗り潰して示している。
【０１０３】
これに対して、使用者によって操作部材４２が操作されると、図９（ａ）から（ｂ）で示すように、レバー４３６による押圧が解除され、板ばね部材４７は、前記一対の支持片４８による固定端（他端）を中心として直立し、円弧板４６が前記空間４４の中央付近に変位されつつ、該円弧板４６の傾倒も無くなってゆく。図９（ｂ）の板ばね部材４７の直立状態で、円弧板４６は空間の天面４４１に最も近接し、前記淡色のパターンと濃色のパターンとが、略半分ずつ、外部から視認可能となる。
【０１０４】
しかしながら、この状態は、圧縮ばね１６が不安定な状態であるので、安定せず、前記図９（ｃ）で示す操作部材４２が他方に傾倒している（図８の場合はスイッチＶがＯＮ）状態に切換わるか、前記図９（ａ）で示す操作部材４２が一方に傾倒している（図８の場合はスイッチＶがＯＦＦ）状態に戻る。
【０１０５】
図９（ｃ）でも、操作部材４２は圧縮ばね１６によって、その状態が安定して保持される。このとき、レバー４３５によって板ばね部材４７が屈曲されて傾倒され、円弧板４６は若干前記シーソーの長手方向に変位されつつ、底板４５に当接するまで傾倒される。これによって、前記円弧板４６の他方の領域に形成された濃色のパターンが、前記透明な部材４３３を通して、外部から視認可能となる。
【０１０６】
こうして、前述の識別部材Ｋ，Ｊに比べて、本実施の形態の識別部材Ｍは、透明な部材４３３を通して外部から視認できる濃淡のパターンが狭く（小さく）なるものの、前記識別部材Ｋ，Ｊがベルト２６３，３６３を使うことに比べて、本実施の形態の識別部材Ｍは、円弧板４６と板ばね部材４７という極めて簡単な構成で、使用者にシーソースイッチの切換わり（ＯＮ／ＯＦＦ）を識別させることができる。また、前記板ばね部材４７の変形だけで円弧板４６のパターンを切換えるので、信頼性が高く、特に低温の環境でも、安定した動作を実現できるとともに、部品の劣化も抑えることができる。
【０１０７】
なお、図９を参照して、レバー４３５，４３６を、操作部材４２の揺動中心（ビス１３１，１３２を結ぶ線上）から離れて配置する、すなわち前記ブラケット４３１を長くする程、板ばね部材４７を根元側で屈曲させることで、前記シーソースイッチの揺動のストロークは小さくても、円弧板４６の移動量を大きくすることができる。
【０１０８】
しかしながら、それらのレバー４３５，４３６を搭載するブラケット４３１において、前記揺動中心を超える部分は、操作部４３とは反対側にシフトしてしまう。したがって、たとえば板ばね部材４７をレバー４３５，４３６が両側から掴む（挟持する）ように近接して配置していると、板ばね部材４７を、「く」の字に屈曲させてしまうようなことにもなる。そのため、レバー４３５，４３６は、倒そうとする側とは反対側のレバーが板ばね部材４７に接触しないように、前記揺動中心からの距離および板ばね部材４７の厚みに対応して、該レバー４３５，４３６の間隔を設定する必要がある。
【０１０９】
また、図８において、仮想線で示すように、板ばね部材４７にピン４７ａを設け、ブラケット４３１に対応する長孔４３７を設けることで、前記レバー４３５，４３６と同様の動作を行わせることができる。さらにまた、板ばね部材４７の支持片４８からの抜け止めを行うために、それらが相互に接着されてもよく、或いはそれらの厚み方向にピンを挿通したり、板ばね部材４７の他端に、抜け止めの爪が形成されていてもよい。
【０１１０】
（実施の形態５）
図１０は、本発明の実施の第５の形態に係る配線器具であるテーブルタップにおける１つのスイッチＶａの内部構成を示す分解斜視図である。本実施の形態のスイッチＶａは、上述の図９および図１０で示すスイッチＶに類似し、対応する部分には同一の参照符号を付して示し、その説明を省略する。また、類似する構成には、添字のａを付して示す。このスイッチＶａでも、識別部材Ｍａは、円弧板４６を用い、これに対応して、操作部材４２ａの空間４４は、蒲鉾型に形成されている。
【０１１１】
注目すべきは、このスイッチＶａでは、前記円弧板４６の裏面の周方向の中心部に一端が固着される駆動部材４８は、剛性の部材から成ることである。そして、その駆動部材４８は、前記円弧板４６の半径方向内方側に延びて形成され、他端にはギア４９が固着されている。ギア４９の中心にはねじ孔４９１が形成されており、そのねじ孔４９１には、基台１１ｃから延びる支持部材１１１ａの基端側に形成された挿通孔１１１３を挿通したビス１３３が螺着される。こうして、前記ギア４９はこのビス１３３によって枢支されるとともに、駆動部材４８が揺動自在に支持される。
【０１１２】
一方、前記操作部材４２ａの底板４５ａにおいて、スリット４５１ａには、前記ギア４９部分が挿通するための切欠き４５２が形成されている。この切欠き４５２は、組立てのために設けられるものであり、図１０ではスリット４５１ａの長手方向の中央部に設けられているけれども、端部付近に設けられてもよく、底板４５ａ上の駆動片１２３、フック１２４およびボス１２５などの他の構造物の邪魔にならず、かつ底板４５ａの強度を損なわない位置に形成されればよい。或いは、たとえば前記ビス１３３が長い軸で、前記挿通孔１１１３およびビス１３３を挿通した後に駆動部材４８の他端に螺着される等、前記駆動部材４８がスリット４５１ａを遊挿した後にギア４９が取付けられる場合は、前記切欠き４５２は、特に設けられなくてもよい。
【０１１３】
また、前記操作部材４２ａの操作部４３ａにおいて、前記支持部材１１１ａ側のブラケット４３１ａは、該操作部４３ａから離反する方向に延びて形成され、その遊端部に、前記ギア４９に噛合う円弧状のラックギア４３８が形成されている。
【０１１４】
このように構成することで、シーソースイッチ（操作部材４２ａ）の揺動に対応した駆動部材４８および円弧板４６の揺動は、前述の図９とほぼ同様となり、使用者にシーソースイッチの切換わり（ＯＮ／ＯＦＦ）を識別させることができる。また、ラックギア４３８とギア４９との簡単な構成で円弧板４６のパターンを切換えるので、信頼性が高く、特に低温の環境でも、安定した動作を実現できるとともに、部品の劣化も抑えることができる。
【０１１５】
また、この識別部材Ｍａでは、円弧板４６の曲率を駆動部材４８の長さに合わせておくことで、該円弧板４６と空間４４の天面４４１との間隔を、変化しないようにすることができる。
【０１１６】
（実施の形態６）
図１１は、本発明の実施の第６の形態に係る配線器具であるテーブルタップにおける１つのスイッチＴの内部構成を示す分解斜視図である。本実施の形態のテーブルタップの外観も、前述の図３で示すテーブルタップ２１と同様であり、スイッチＱに代えて、このスイッチＴが用いられる。スイッチ本体ＴＷは、シーソースイッチから成り、使用者に操作される操作部材５２の内部側に、前記スイッチ本体ＴＷのＯＮ／ＯＦＦ動作（シーソーの動作）に連動して、機械的に、使用者による視認の態様が切換わる（使用者にＯＮかＯＦＦかを識別させる）識別部材Ｆが設けられている。この図１１の例でも、前述の図６や図８および図１０の例等と同様に、前記識別部材Ｆは、前記スイッチ本体ＴＷのＯＮ／ＯＦＦ動作に連動して、色が変わるようになっている。この図１１の構成において、図８の構成と同様の構成は、同一の参照符号を付して、その説明を省略する。
【０１１７】
図１２は、操作部材５２の揺動による色の切換え動作を説明するための断面図であり、（ａ）は横（長手）方向断面図、（ｂ）は（ａ）の切断面線ＸII−ＸIIから見た厚み（短手）方向断面図である。この操作部材５２も、使用者に操作される上部側の操作部５３と、前記操作部５３の内部に空間５４を形成し、底部を閉塞する底板５５とを備えて構成される。前記操作部５３は、前記操作部３３，４３と同様に、前記シーソースイッチの中央部付近が透明な部材５３３から成り、残余の部分は遮光性の部材５３４から成る。前記底板５５は、遮光性の材料から成る。前記底板５５には、前記駆動片１２３およびボス１２５が立設されるとともに、前記フック１２４が設けられている。
【０１１８】
注目すべきは、このスイッチＴでは、操作部材５２の内部の空間５４は、前記透明な部材５３３の底部に、水平（底板５４の底面と平行）に形成されるチューブ状の移動空間５４１と、前記移動空間５４１の両端部にそれぞれ一端が連通し、他端がシーソーの下方側（前記底板５４の底面側）に開放した収納空間５４２とを備えて構成されることである。そして、前記識別部材Ｆは、前記両端の収納空間５４２からそれぞれ移動空間５４１側に充填され、該移動空間５４１内で界面を接し、前記視認の態様が相互に異なる２つの袋体５７，５８と、前記両端の収納空間５４２の下方部にそれぞれ臨む固定位置に設けられ、シーソーの揺動で降下した側の収納空間に嵌り込み、前記袋体５７，５８を押出す押出し部材１１７，１１８とを備えて構成される。前記押出し部材１１７，１１８は、基台１１ｄの上面１１０において、前記２つの収納空間５４２の開口部に対向してそれぞれ設けられる。
【０１１９】
なお、図１２（ｂ）で示すように、底板５５からは、前記駆動片１２３やボス１２５が立設されており、このため前記収納空間５４２は、操作部材５２の厚み方向の中央部からオフセットして配置されている。そこで、前記移動空間５４１は、前記透明な部材５３３を通して外部から視認可能で、かつ前記厚み方向の中央部に配置される露出部５４１１と、前記遮光性の部材５３４内で、前記中央部の露出部５４１１と、オフセット配置される収納空間５４２とを連通する斜行部５４１２とを備えて構成される。なお、操作部材５２のバイアスに、引張りばね１５に代えて他の手段が用いられ、底板５５の厚み方向の中央部付近のスペースが空いている場合には、前記収納空間５４２は、その中央部に設けられてもよい。
【０１２０】
したがって、シーソースイッチ（操作部材５２）の状態が切換わると、該操作部材５２の下方側で固定位置に設けられている２つの押出し部材１１７，１１８の一方（図１２では１１７）が、該操作部材５２の収納空間５４２に入り込み、袋体５７，５８の対応する側（図１２では５７）を押出す。これによって、前記袋体５７，５８の対応する側（図１２では５７）は、前記露出部５４１１内を占有するとともに、前記袋体５７，５８の反対側（図１２では５８）を、前記露出部５４１１から、前記斜行部５４１２および収納空間５４２側へ押し出す。こうして、使用者に前記視認の態様の違い（ＯＮ／ＯＦＦ）を識別させることができる。
【０１２１】
本実施の形態では、前記袋体５７，５８は、略均一な径を有する柱状体である。しかしながら、空間５４の内周面は円滑な面であり、押出し部材１１７，１１８の押圧に伴い、前記内周面に沿って屈曲し、移動することができる。本実施の形態では、前記視認の態様の違いは、前述のスイッチＱ，Ｒ，Ｖなどと同様に、色の濃淡の違いで表すこととするが、その色の濃淡の違いは、たとえば、同じ材質の袋体５７，５８内に、相互に色の異なる流体が充填されたり、或いは相互に色の異なる袋体５７，５８内に、同じ流体が充填されるなど、任意である。流体の色の違いで表す場合は、該流体は着色した液体から成り、袋体５７，５８の色の違いで表す場合は、該流体は気体であってもよい。
【０１２２】
また、本実施の形態では、２つの袋体５７，５８が、前記露出部５４１１の外側で明確な界面を形成するように、前記袋体５７，５８の相互に対向する面には、剛性の端板５７１，５８１が設けられている。また、前記袋体５７，５８の反対側の面には、前記押出し部材１１７，１１８の押圧力を受け止めるために、剛性の端板５７２，５８２が設けられている。こうして、袋体５７，５８が不所望な変形をして、前記視認の態様が切換わらなくなってしまうような不具合を未然に防止することができる。
【０１２３】
一方、前記２つの袋体５７，５８の変形の自由度が高い場合は、図１３のスイッチＴａで示すように、収納空間５４２ａおよび押出し部材１１７ａ，１１８ａを大径にしてもよい。これによって、前記押出し部材１１７ａ，１１８ａが、収納空間５４２ａに入り込むストロークが小さくても、袋体５７ａ，５８ａが、チューブ状の移動空間５４１、特に露出部５４１１に張り出す体積を大きくすることができ、前記露出部５４１１を長く形成することができる。
【０１２４】
（実施の形態７）
図１４は、本発明の実施の第７の形態に係る配線器具であるテーブルタップにおける１つのスイッチＵの内部構成を示す分解斜視図である。本実施の形態のテーブルタップの外観も、前述の図３で示すテーブルタップ２１と同様であり、スイッチＱに代えて、このスイッチＵが用いられる。スイッチ本体ＵＷは、シーソースイッチから成り、使用者に操作される操作部材６２の内部側に、前記スイッチ本体ＵＷのＯＮ／ＯＦＦ動作（シーソーの動作）に連動して、機械的に、使用者による視認の態様が切換わる（使用者にＯＮかＯＦＦかを識別させる）識別部材Ｅが設けられている。この図１４の例でも、前述の図６や図８および図１０の例等と同様に、前記識別部材Ｅは、前記スイッチ本体ＵＷのＯＮ／ＯＦＦ動作に連動して、色が変わるようになっている。この図１４の構成において、図８の構成と同様の構成は、同一の参照符号を付して、その説明を省略する。
【０１２５】
図１５は、操作部材６２の厚み方向の断面図である。この操作部材６２も、使用者に操作される上部側の操作部６３と、前記操作部６３の内部に空間６４を形成し、底部を閉塞する底板６５とを備えて構成される。前記操作部６３は、前記操作部３３，４３，５３と同様に、前記シーソースイッチの中央部付近が透明な部材６３３から成り、残余の部分は遮光性の部材６３４から成る。前記底板６５は、遮光性の材料から成る。前記底板６５には、前記駆動片１２３およびボス１２５が立設されるとともに、前記フック１２４が設けられている。
【０１２６】
注目すべきは、このスイッチＵでは、操作部材６２の空間６４内には、シーソーの長手方向が伸縮方向となるように、かつその長手方向に互いに連結され、前記視認の態様が相互に異なる２つのベローズ６７，６８が収容されることである。図１４では、ベローズ６７が濃色で、ベローズ６８が淡色で、ベローズ６７が伸長状態、ベローズ６８が縮小状態、すなわちスイッチ本体ＵＷがＯＮ状態であることを表している。
【０１２７】
前記２つのベローズ６７，６８の連結部には、該ベローズ６７，６８に上述のような伸縮を行わせる駆動部材６９が連結される。駆動部材６９は、ベローズ６７，６８の端部間に挟み込まれる駆動板６９１と、その駆動板６９１を前記長手方向に案内する案内部材６９２と、前記案内部材６９２に一端が固着され、他端はシーソースイッチ（操作部材６２）から離反する方向に延びる駆動片６９３と、前記駆動片６９３の前記他端に設けられる突起６９４とを備えて構成される。
【０１２８】
これに対応して、前記操作部材６２の空間６４は、前記ベローズ６７，６８が伸縮（摺動）自在に収容される円筒状の収容部６４１と、前記収容部６４１の側方の一部分（略前記案内部材６９２の移動の範囲）に連通して併設され、前記案内部材６９２をがたつきなく前記長手方向に案内する案内部６４２と、前記案内部６４２に連なる長孔６４３とを備えて構成される。前記長孔６４３には、前記駆動片６９３が遊挿する。
【０１２９】
前述の通り、前記駆動片６９３の他端には突起６９４が設けられており、この突起６９４を該長孔６４３に遊挿した後、９０度回転させて、前記収容部６４１と案内部６４２とに、前記ベローズ６７，６８および駆動片６９３と、案内部材６９２とをそれぞれ収容する。そのため、前記駆動片６９３は円柱状に形成されているが、前記切欠き４５２のような角柱を回転させられる空間があれば、角柱状に形成されてもよい。
【０１３０】
一方、操作部材６２の操作部６３の両側部から延設された一対のブラケット６３１，６３２の内、前記駆動片６９３に隣接する側（図１４では６３１）は、前記シーソースイッチの揺動中心（ビス１３１，１３２）を通り、前記シーソースイッチ（操作部材６２）から離反する方向に延びて形成され、前記シーソースイッチ（操作部材６２）のＯＮ／ＯＦＦ動作に連動して、前記駆動部材６９を前記シーソーの長手方向に変位させるレバーとなる。前記ブラケット６３１の遊端部には、長孔６３１１が形成されている。前記長孔６３１１には、前記突起６９４が遊挿する。
【０１３１】
したがって、前記シーソースイッチ（操作部材６２）が揺動すると、ブラケット６３１が揺動し、その長孔６３１１に係合している突起６９４が略長手方向に変位される。これによって、駆動片６９３を介して、案内部材６９２が案内部６４２内を摺動し、駆動板６９１が前記長手方向に変位され、ベローズ６７，６８の伸長していた側を縮小させ、縮小していた側を伸長させる。伸長した側のべローズが、前記シーソースイッチの中央部付近の透明な部材６３３における内部空間を専有する。こうして、使用者に前記視認の態様の違い（ＯＮ／ＯＦＦ）を識別させることができる。
【０１３２】
本実施の形態では、駆動部材６９の駆動は、ブラケット６３１による揺動に限らず、前述の図６および図７で示す識別部材Ｊにおける弾性部材３７による揺動が用いられてもよい。その場合、長孔６４３を通して、案内部材６９２に、弾性部材３７のフック３７２１が係合される。
【０１３３】
上述の各実施の形態では、配線器具の一例として、テーブルタップ１，２１を例示しているが、本発明のスイッチＳ；Ｑ；Ｒ；Ｖ；Ｖａ；Ｔ；Ｕは、前記テーブルタップ１，２１以外に、電気機器の電源送りコンセントなどに使用されてもよい。また、上述のスイッチＳ；Ｑ；Ｒ；Ｖ；Ｖａ；Ｔ；Ｕは、シーソースイッチであったけれども、特許文献２のような押し釦式のスイッチに用いられてもよい。
【０１３４】
さらにまた、本発明のスイッチＳ；Ｑ；Ｒ；Ｖ；Ｖａ；Ｔ；Ｕは、壁面スイッチにも用いることができる。その場合、スイッチの用途（負荷）にもよるが、上述の各実施の形態ようにＯＮ時に濃色表示を行うか、前述のトイレスイッチのようにＯＦＦ時に濃色表示を行うかは、適宜選択することができる。壁面スイッチは、近年、ユニバーサルデザイン化の関係で大型化しており、上述のテーブルタップ１，２１に比べて、前記識別部材Ｈ；Ｋ；Ｊ；Ｍ；Ｍａ；Ｆの組み込みスペースを確保し易いと思われる。
【０１３５】
また、複数口連設のテーブルタップの場合、上述の各スイッチＳ；Ｑ；Ｒ；Ｖ；Ｖａ；Ｔ；Ｕの内、何れか１種類が統一して用いられるだけでなく、任意の複数種類が用いられてもよい。それによって、表示の切換わりの時間がスイッチによって異なったり、表示の見え方が異なるなど、趣向を凝らすことができ、或いは各スイッチでＯＮ／ＯＦＦされる負荷の種別を（ラベルなどが付されていなくても）想起させたりすることも可能に思われる。
【符号の説明】
【０１３６】
１，２１  テーブルタップ
１１；１１ａ；１１ｂ；１１ｃ；１１ｄ    基台
１１１，１１２；１１１ａ    支持部材
１１４    フック
１１５    ボス
１１７，１１８；１１７ａ，１１８ａ    押出し部材
１２    操作部材
１２１，１２２    ブラケット
１２３  駆動片
１２４  フック
１２５  ボス
１２７  レバー
１３１，１３２，１３３    ビス
１４１，１４２    端子
１４３  接点
１４４，１４５    接点部材
１５    引張りばね
１６    圧縮ばね
１７    揺動部材
１７１  摺動板
１７１１    濃色の領域
１７１２    淡色の領域
１７２  駆動部材
１８    案内部材
２    ケーブル
３    筐体
３０    上板
３１，３２    開口
２２    操作部材
２３    操作部
２４    空間
２５    底板
２３１，２３２    ブラケット
２６１，２６２    ドラム
２６１１    ギア
２６３  ベルト
２６３１    ラック
３２    操作部材
３３    操作部
３３１，３３２    ブラケット
３３３  透明な部材
３３４  遮光性の部材
３３５，３３６    レバー
３４    空間
３５    底板
３６１，３６２    ドラム
３６３  ベルト
３７    弾性部材
３７１，３７２    筒状体
３７１１，３７２１    フック
３８１，３８２    フック
４２；４２ａ    操作部材
４３；４３ａ    操作部
４３１，４３２；４３１ａ    ブラケット
４３３  透明な部材
４３４  遮光性の部材
４３５，４３６    レバー
４３８  ラックギア
４４    空間
４５；４５ａ    底板
４６    円弧板
４７    板ばね部材
４８    駆動部材
４９    ギア
５２    操作部材
５３    操作部
５３３  透明な部材
５３４  遮光性の部材
５４    空間
５４１  移動空間
５４１１    露出部
５４１２    斜行部
５４２；５４２ａ    収納空間
５５    底板
５７，５８；５７ａ，５８ａ    袋体
６２    操作部材
６３    操作部
６３１，６３２    ブラケット
６３３  透明な部材
６３４  遮光性の部材
６４    空間
６４１  収容部
６４２  案内部
６４３  長孔
６５    底板
６７，６８    ベローズ
６９    駆動部材
６９１  駆動板
６９２  案内部材
６９３  駆動片
６９４  突起
Ｐ；Ｐ１〜Ｐ３    プラグソケット（差し込み口）
Ｓ；Ｓ１〜Ｓ３；Ｑ；Ｑ１〜Ｑ３；Ｒ；Ｖ；Ｖａ；Ｔ；Ｕ    スイッチ
ＳＷ；ＳＷ１〜ＳＷ１；ＱＷ；ＲＷ；ＶＷ；ＶＷａ；ＴＷ；ＵＷ    スイッチ本体
Ｈ；Ｈ１〜Ｈ３；Ｋ；Ｋ１〜Ｋ３；Ｊ；Ｍ；Ｍａ；Ｆ    識別部材
Ｗ１    接点領域
Ｗ２    バイアス領域
【図１】
2014053096.tif 000003
【図２】
2014053096.tif 000004
【図３】
2014053096.tif 000005
【図４】
2014053096.tif 000006
【図５】
2014053096.tif 000007
【図６】
2014053096.tif 000008
【図７】
2014053096.tif 000009
【図８】
2014053096.tif 000010
【図９】
2014053096.tif 000011
【図１０】
2014053096.tif 000012
【図１１】
2014053096.tif 000013
【図１２】
2014053096.tif 000014
【図１３】
2014053096.tif 000015
【図１４】
2014053096.tif 000016
【図１５】
2014053096.tif 000017
【図１６】
2014053096.tif 000018